(57)【要約】      （修正有）【課題】自重圧力器を提供する。【解決手段】座椅子１、フレーム２、動作棒３、足凭れ上部４、足凭れ下部５、弾力紐６、背部板７、背凭れ梁部８、弾性部品１０を含む。背凭れ梁部８の下部は縦梁部２１の中間後部にヒンジ接合し、縦梁部上方に位置する上部を背凭れとし、背部板７を背凭れ梁部８の上部に固定し、背凭れ梁部８の下端は縦梁部２１を貫通し且つ縦梁部２１の下方に位置する。弾性部品１０の一端は背凭れ梁部８の下端に連結し、弾性部品１０のもう一端は縦梁部２１の後部に連結する。位置制御変更機構９の位置制御変更板に複数の位置制御孔を設け、背凭れ梁部下端の位置制御孔と位置制御変更板の位置制御孔は位置制御ピンを用いて一つになるようにヒンジ接合することで、三種の固定状態と三種の可動状態を実現し、製品の運動方式を多様化し、且つ本考案は位置制御調節点の位置制御ピンを抜き取るだけで、背部板７をフラット状態にできる。【選択図】図２
0003185010.tif 000002
【実用新案登録請求の範囲】
【請求項１】
座椅子と、フレームと、動作棒と、足凭れ上部と、足凭れ下部と、弾力紐とを含む自重圧力器において、
前記フレームは縦梁部、垂直支持体、前部底体、後部底体によって構成され、縦梁部の前端は垂直に垂直支持体の中間部に固定し、縦梁部の後端は垂直に後部底体の中間部に固定し、垂直支持体の上端は足凭れ上部の中間部に固定し、垂直支持体の下端は前部底体の中間部に固定し、縦梁部と垂直支持体とで一つの三角形支持構造を構成し、
前記動作棒の上端は垂直支持体の上端にヒンジ接合し、足凭れ下部の中間部は動作棒の下端に固定し、
前記弾力紐は動作棒と垂直支持体との間に繞設し、
前記座椅子はフレームの縦梁部に取り付け、
前記自重圧力器は更に、背部板、背凭れ梁部、弾性部品を含み、背凭れ梁部の下部は縦梁部の中間後部にヒンジ接合し、縦梁部上方に位置する上部を背凭れとし、背部板を背凭れ梁部の上部に固定し、背凭れ梁部の下端は縦梁部を貫通し且つ縦梁部の下方に位置し、前記弾性部品は一端が背凭れ梁部の下端に連結し、他端が縦梁部の後部に連結することを特徴とする自重圧力器。
【請求項２】
前記背凭れ梁部は縦梁部の下端を貫通し位置制御変更機構を用いて弾性部品の一端に連結し、前記位置制御変更機構は位置制御変更板、ヒンジピン、位置制御ピン、固定ピンによって構成され、位置制御変更板上には一つのヒンジ接合孔、固定孔、ヒンジ接合孔下方に位置する一つ以上の位置制御孔を設け、背凭れ梁部下部は上から下にヒンジ接合孔と位置制御孔とを設け、ヒンジピンは横方向に沿って順に、縦梁部と、背凭れ梁部下端のヒンジ接合孔と、位置制御変更板のヒンジ接合孔とを貫通し、固定ピンを縦梁部上の固定孔と位置制御変更板の固定孔に挿入し、位置制御ピンは背凭れ梁部下端の位置制御孔と位置制御変更板の位置制御孔に挿入することを特徴とする請求項１に記載の自重圧力器。
【請求項３】
前記位置制御変更板は一枚の板材によって構成され、前記背凭れ梁部の下端を位置制御ピンを用いて位置制御変更板とヒンジ接合することを特徴とする請求項２に記載の自重圧力器。
【請求項４】
前記位置制御変更板は二枚の板材によって構成され、二枚の板材間には間隔をあけ、背凭れ梁部の下端を該間隔内に挿入し尚且つ位置制御ピンを用いて位置制御変更板とヒンジ接合することを特徴とする請求項２に記載の自重圧力器。
【請求項５】
前記背部板は、下から上へ背凭れ梁部上部に取り付ける背凭れクッションと一対のハンドルであることを特徴とする請求項１に記載の自重圧力器。
【請求項６】
前記背部板は、下から上へ背凭れ梁部の上部に取り付ける三対のハンドルであることを特徴とする請求項１に記載の自重圧力器。
【請求項７】
前記背部板は、背凭れ梁部の上部に取り付ける一対のハンドルであることを特徴とする請求項１に記載の自重圧力器。
【請求項８】
前記弾性部品はスプリング或いは弾力片であることを特徴とする請求項１に記載の自重圧力器。
【請求項９】
前記座椅子は回転方式でフレームの縦梁部上に取り付けることを特徴とする請求項１に記載の自重圧力器。
【考案の詳細な説明】
【技術分野】
【０００１】
本考案は健康器具であり、特に自重圧力器に関する。
【背景技術】
【０００２】
経済の迅速な発展に伴い、人々は健康を益々重視するようになり、生活水準も向上し続けている。これにより、健康器具の使用が日増しに広範化し、人々の健康器具の機能に対する要求も益々増え、肢体を鍛える機能を備える他、人体のその他箇所を鍛える機能を備えることが望まれ、特に、腰椎、脊椎、腹筋を鍛える健康器具が求められるようになった。一般の腹筋を鍛える健康器具は主に、座椅子、フレーム、動作棒、足凭れ上部、足凭れ下部、背部板、弾力紐等によって構成され、人体の足部の筋肉や腹筋を鍛えるのに用い、多くとも背部板の動作を実現可能とする。使用方式は単一で、包装時にはスプリングを取り外す必要があるため、包装は不便である。
【先行技術文献】
【特許文献】
【０００３】
【特許文献１】なし
【考案の概要】
【考案が解決しようとする課題】
【０００４】
本考案の目的は、さらに多くの使用方式を有し、包装の簡単な自重圧力器を提供することにある。
【課題を解決するための手段】
【０００５】
前述の目的を実現するために採用する本考案の技術解決手段は次の通りである。本考案の自重圧力器は、座椅子、フレーム、動作棒、足凭れ上部、足凭れ下部、弾力紐を含む。前記フレームは縦梁部、垂直支持体、前部底体、後部底体によって構成され、前記縦梁部の前端は垂直に垂直支持体の中間部に固定し、縦梁部の後端は垂直に後部底体の中間部に固定し、垂直支持体の上端は足凭れ上部の中間部に固定し、垂直支持体の下端は前部底体の中間部に固定し、縦梁部と垂直支持体とで一つの三角形支持構造を成す。前記動作棒の上端は垂直支持体の上端にヒンジ接合し、足凭れ下部の中間部は動作棒の下端に固定する。前記弾力紐は動作棒と垂直支持体との間に繞設し、前記座椅子はフレームの縦梁部に取り付け、自重圧力器は更に、背部板、背凭れ梁部、弾性部品とを含む。背凭れ梁部の下部は縦梁部の中間後部にヒンジ接合し、縦梁部上方に位置する上部を背凭れとし、背部板を背凭れ梁部の上部に固定し、背凭れ梁部の下端は縦梁部を貫通し尚且つ縦梁部の下方に位置する。前記弾性部品の一端は背凭れ梁部の下端に連結し、弾性部品のもう一端は縦梁部の後部に連結する。
【０００６】
前記背凭れ梁部は縦梁部の下端を貫通し位置制御変更機構を用いて弾性部品の一端に連結する。前記位置制御変更機構は位置制御変更板、ヒンジピン、位置制御ピン、固定ピンによって構成される。位置制御変更板上には一つのヒンジ接合孔、固定孔、ヒンジ接合孔下方に位置する一つ以上の位置制御孔を設け、背凭れ梁部下部は上から下にヒンジ接合孔と位置制御孔とを設ける。ヒンジピンは横方向に沿って順に、縦梁部と、背凭れ梁部下端のヒンジ接合孔と、位置制御変更板のヒンジ接合孔を貫通し、固定ピンを縦梁部21上の固定孔と位置制御変更板の固定孔に挿入し、位置制御ピンは背凭れ梁部下端の位置制御孔と位置制御変更板の位置制御孔に挿入する。
【０００７】
前記位置制御変更板は一枚の板材によって構成され、前記背凭れ梁部の下端を位置制御ピンを用いて位置制御変更板とヒンジ接合する。
【０００８】
前記位置制御変更板は二枚の板材によって構成され、二枚の板材間には間隔をあけ、背凭れ梁部の下端を該間隔内に挿入し、位置制御ピンを用いて位置制御変更板とヒンジ接合する。
【０００９】
前記背部板は、下から上へ背凭れ梁部上部に取り付ける背凭れクッションと一対のハンドルである。
【００１０】
前記背部板は、下から上へ背凭れ梁部の上部に取り付ける三対のハンドルである。
【００１１】
前記背部板は、背凭れ梁部の上部に取り付ける一対のハンドルである。
【００１２】
前記弾性部品はスプリング或いは弾力片である。
【００１３】
前記座椅子は回転方式でフレームの縦梁部上に取り付ける。
【考案の効果】
【００１４】
前述の手段を採用した後、本考案には更に背凭れ梁部と弾性部品とを設ける。該背凭れ梁部の下部は縦梁部の中間後部にヒンジ接合し、背凭れ梁部は縦梁部の下端を貫通し位置制御変更機構を用いて弾性部品の一端に連結する。位置制御変更機構の位置制御変更板には複数の位置制御孔を設け、背凭れ梁部下端の位置制御孔と位置制御変更板の位置制御孔は位置制御ピンを用いて一つになるようヒンジ接合し、三固定を実現する。即ち、背凭れ梁部の傾斜角度は固定し、尚且つ複数の位置制御を備える。三可動は即ち、三つの傾斜角度の固定を選択できる（固定ピンを縦梁部と位置制御変更板に挿入する）或いは可動する（固定ピンを縦梁部と位置制御変更板の固定孔から取り外す）方式で運動を行なうことにより、製品の運動方式が多様化し、尚且つ本考案は只、位置制御調節点の位置制御ピンを抜き取るだけで、背部板をフラット状態にすることができるため、自重圧力器の包裝と運送が非常に便利に行なえ、特別な取り外し及び取り付け作業を不要とする特徴を備える。
【図面の簡単な説明】
【００１５】
【図１】本考案の軸測図である。
【図２】本考案の立体分解図である。
【図３】本考案の側面図である。
【図４】本考案の固定ピンをまだ挿入していない縦梁部の固定孔と位置制御変更板の固定孔の一部を示す図である。
【図５】本考案の固定ピンを插入した縦梁部固定孔と位置制御変更板の固定孔の一部を示す図である。
【図６】本考案の位置制御変更板の第一実施例構造図である。
【図７】本考案の位置制御変更板の第二実施例構造図である。
【図８】本考案の背部板の第一実施例に関する軸測図である。
【図９】本考案の背部板の第二実施例に関する軸測図である。
【図１０】本考案の位置制御ピンを第一位置制御孔に挿入した際の使用状態図である。
【図１１】本考案の位置制御ピンを第二位置制御孔に挿入した際の使用状態図である。
【図１２】本考案の位置制御ピンを第三位置制御孔に挿入した際の使用状態図である。
【図１３】本考案の固定ピンを縦梁部の固定孔と位置制御変更板の固定孔から取り外した後の使用状態図（１）である。
【図１４】本考案の固定ピンを縦梁部の固定孔と位置制御変更板の固定孔から取り外した後の使用状態図（２）である。
【考案を実施するための形態】
【００１６】
以下に、図面を参照しながら、本考案を実施するための最良の形態について詳述する。
【００１７】
図1に示すとおり、本考案の自重圧力器は、座椅子1、フレーム2、動作棒3、足凭れ上部4、足凭れ下部5、弾力紐6（図2参照）、背部板7、背凭れ梁部8、位置制御変更機構9、及び弾性部品10を含む。
【００１８】
図1及び図2に示すとおり、前記フレーム2は縦梁部21、垂直支持体22、前部底体23、後部底体24によって構成される。前記縦梁部21の前端は垂直に垂直支持体22の中間部に固定し、縦梁部21の後端は垂直に後部底体24の中間部に固定し、垂直支持体22の上端は足凭れ上部4の中間部に固定し、垂直支持体22の下端は前部底体23の中間部に固定し、縦梁部21と垂直支持体22とで一つの三角形支持構造を成す。
【００１９】
前記動作棒3の上端は垂直支持体22の上端にヒンジ接合し、足凭れ下部5の中間部は動作棒3の下端に固定する。前記弾力紐6は動作棒3と垂直支持体22との間に繞設し、前記座椅子1は回転可能方式でフレーム2の縦梁部21の中間部上に取り付ける。
【００２０】
前記背凭れ梁部8の下部は縦梁部21の中間後部にヒンジ接合し、縦梁部21上方の上部を背凭れとし、背部板7を背凭れ梁部8の上部に固定し、背凭れ梁部8の下端は縦梁部21を貫通し尚且つ縦梁部21の下方に位置する。前記弾性部品10の一端は背凭れ梁部8の下端に連結し、弾性部品10のもう一端は縦梁部21の後部に連結する。前記弾性部品10はスプリング或いは弾力片とする。
【００２１】
前記背凭れ梁部8は縦梁部21の下端を貫通し位置制御変更機構9を用いて弾性部品10の一端に連結する。
【００２２】
図4、図5、図6に示すとおり、前記位置制御変更機構9は位置制御変更板91、ヒンジピン92、位置制御ピン93、固定ピン94によって構成される。位置制御変更板91上には一つのヒンジ接合孔911、固定孔912、ヒンジ接合孔911下方に位置する三つの位置制御孔913を設け、背凭れ梁部8下部は上から下にヒンジ接合孔81と位置制御孔82とを設ける。ヒンジピン92は横方向に沿って順に、縦梁部21のヒンジ接合孔211と、背凭れ梁部8下端のヒンジ接合孔81と、位置制御変更板91のヒンジ接合孔92を貫通し、固定ピン94は縦梁部21上の固定孔212と位置制御変更板91の固定孔912に挿入し、位置制御ピン93は背凭れ梁部8下端の位置制御孔82と位置制御変更板91の三つの位置制御孔913中の何れか一つに挿入する。
【００２３】
本実施例において、前記位置制御変更板91は二種類の構造形式があり、そのうち一つは図6に示した単一板形式であり、それは一枚の板材によって構成される。前記背凭れ梁部8の下端は位置制御ピン93を用いて位置制御変更板91とヒンジ接合する。もう一つは図7に示した双板形式であり、それは二枚の板材によって構成され、二枚の板材間には間隔をあける。前記背凭れ梁部8の下端を該間隔内に挿入し、位置制御ピン93を用いて位置制御変更板91’とヒンジ接合する。
【００２４】
本実施例において、前記背部板7には三種類の形式がある。一つ目は、図1に示すように、下から上へ背凭れ梁部8上部に取り付ける三対のハンドル71、72、73によって構成されるものである。二つ目は、図8に示すように、下から上へ背凭れ梁部8の上部に取り付ける背凭れクッション74と一対のハンドル71によって構成されるものである。三つ目は、図9に示すように、背凭れ梁部の上部に取り付ける一対のハンドル71によって構成されるものである。
【００２５】
本考案の使用方法は次の通りである。
【００２６】
図10に示すとおり、固定ピン94を縦梁部21の固定孔212と位置制御変更板91の固定孔912に挿入し、位置制御ピン93を第一位置制御孔913に挿入する状態において、使用者100は座椅子1に座り、背部板7に凭れて身体を鍛える。
【００２７】
図11に示すとおり、固定ピン94を縦梁部21の固定孔212と位置制御変更板91の固定孔912に挿入し（図5参照）、尚且つ位置制御ピン93を第二位置制御孔913に挿入する状態において、使用者100は座椅子1に座り、背部板7に凭れて身体を鍛える。
【００２８】
図12に示すとおり、固定ピン94を縦梁部21の固定孔212と位置制御変更板91の固定孔912に挿入し（図5参照）、尚且つ位置制御ピン93を第三位置制御孔913に挿入する状態において、使用者100は座椅子1に座り、背部板7に凭れて身体を鍛える。
【００２９】
図13に示すとおり、固定ピン94を縦梁部21の固定孔212と位置制御変更板91の固定孔912から取り外した状態において（図4参照）、使用者100は座椅子1に座り、背部板7に凭れ、背部板7を圧することで背凭れ梁部8は縦梁部21にヒンジ接合したヒンジ接合点の周囲を回って後方に動作する初期状態である。
【００３０】
図14に示すとおり、固定ピン94を縦梁部21の固定孔212と位置制御変更板91の固定孔912から取り外した状態において（図4参照）、使用者100は座椅子1に座り、背部板7に凭れ、背部板7を圧することで背凭れ梁部8は縦梁部21にヒンジ接合したヒンジ接合点の周囲を回って後方に動作する最終状態である。
【００３１】
本考案の重点は、背凭れ梁部的下端を位置制御変更機構を用いて弾性部品の一端に連結した点にある。
【００３２】
前述は単に本考案の好ましい実施例を示したものである。位置制御変更板上の位置制御孔を複数にすることも可能である故、本考案の実施範囲に制約を加えることはできない。よって、本考案の実用新案登録請求の範囲及び説明書の内容に基づいて為された同等効果を有する変化や修飾は全て、本考案の包含する範囲内に属するものとする。
【符号の説明】
【００３３】
1：座椅子
2：フレーム
21：縦梁部
211：ヒンジ接合孔
212：固定孔
22：垂直支持体
23：前部底体
24：後部底体
3：動作棒
4：足凭れ上部
5：足凭れ下部
6：弾力紐
7：背部板
71：ハンドル
72：ハンドル
73：ハンドル
8：背凭れ梁部
9：位置制御変更機構
91：位置制御変更板
911：ヒンジ接合孔
912：固定孔
913：位置制御孔
92：ヒンジピン
93：位置制御ピン
94：固定ピン
10：弾性部品
100：使用者
【図１】
0003185010.tif 000003
【図２】
0003185010.tif 000004
【図３】
0003185010.tif 000005
【図４】
0003185010.tif 000006
【図５】
0003185010.tif 000007
【図６】
0003185010.tif 000008
【図７】
0003185010.tif 000009
【図８】
0003185010.tif 000010
【図９】
0003185010.tif 000011
【図１０】
0003185010.tif 000012
【図１１】
0003185010.tif 000013
【図１２】
0003185010.tif 000014
【図１３】
0003185010.tif 000015
【図１４】
0003185010.tif 000016